(57)【要約】【課題】太陽光発電システム又は太陽光発電設備についての多くのデータを設定する必要がなく、容易にバンク逆潮流を精度よく予測できるバンク逆潮流予測装置及び方法を提供すること。【解決手段】バンク逆潮流予測装置１０は、配電線単位の電力記録及び気象情報を予め記憶する電力記録記憶部３１と、気象予測情報を取得する気象予測取得部１１と、前記気象予測取得部１１により取得された前記気象予測情報に近似した気象情報が記憶された電力記録を、前記電力記録記憶部３１により記憶された気象情報に基づいて抽出する記録抽出部１３と、前記記録抽出部１３により抽出された前記電力記録に基づいて、バンク逆潮流が発生する配電線を予測する予測部１４と、を備える。【選択図】図１
2017108527.tif 000002
【特許請求の範囲】
【請求項１】
電力のバンク逆潮流を予測するバンク逆潮流予測装置であって、
配電線単位の電力記録及び配電線単位の気象情報を予め記憶する電力記録記憶部と、
配電線単位の気象予測情報を取得する気象予測取得部と、
前記気象予測取得部により取得された前記配電線単位の気象予測情報に近似した前記配電線単位の気象情報が記憶された前記配電線単位の電力記録を、前記電力記録記憶部により記憶された前記配電線単位の気象情報に基づいて抽出する記録抽出部と、
前記記録抽出部により抽出された前記配電線単位の電力記録に基づいて、バンク逆潮流が発生する配電線を予測する予測部と、
を備えるバンク逆潮流予測装置。
【請求項２】
前記配電線単位のバンク逆潮流の記録を取得し、取得した前記配電線単位のバンク逆潮流の記録に、取得した前記配電線単位の気象情報を対応付けて前記電力記録記憶部に記憶させる電力記録作成部を更に備える請求項１に記載のバンク逆潮流予測装置。
【請求項３】
請求項１に記載のバンク逆潮流予測装置が実行する方法であって、
前記気象予測取得部が、配電線単位の気象予測情報を取得する気象予測取得ステップと、
前記記録抽出部が、前記気象予測取得ステップにより取得された前記配電線単位の気象予測情報に近似した気象情報が記憶された前記配電線単位の電力記録を、前記電力記録記憶部により記憶された配電線単位の気象情報に基づいて抽出する記録抽出ステップと、
前記予測部が、前記記録抽出ステップにより抽出された前記配電線単位の電力記録に基づいて、バンク逆潮流が発生する配電線を予測する予測ステップと、
を備える方法
【請求項４】
配電線単位の気象予測情報を取得する気象予測取得ステップと、
取得された前記配電線単位の気象予測情報に近似した前記配電線単位の気象情報が記憶された電力記録を、配電線単位の電力記録及び配電線単位の気象情報を予め記憶した電力記録記憶部に記憶された配電線単位の気象情報に基づいて抽出する記録抽出ステップと、
抽出された前記配電線単位の電力記録に基づいて、バンク逆潮流が発生する配電線を予測する予測ステップと、
をコンピュータに実行させるプログラム。
【請求項５】
請求項４のプログラムを記録したコンピュ−タ読み取り可能な記録媒体。
【発明の詳細な説明】
【技術分野】
【０００１】
本発明は、バンク逆潮流予測装置及び方法に関する。
【背景技術】
【０００２】
従来より、バンク逆潮流という現象が知られている。
【０００３】
＜バンク逆潮流の発生について＞
変電所等の電気所は、負荷母線から負荷側へ向けて電力が流れるように、上位発電機を調整している。（負荷母線から線路へ向けて電力が流れる状態を「順潮流」という。）系統負荷量と太陽光発電量との関係において、系統負荷量＜太陽光発電量という状態になると、線路から負荷母線へ向けて電力が逆向きに流れる。この現象を「バンク逆潮流」という。
【０００４】
＜バンク逆潮流の発生実態＞
図７は、バンク逆潮流を説明するための図である。図７（１）は、平日のように、太陽光発電量に対して負荷量が上回る場合を示している。この場合、電力は、矢印６０１のように流れ、バンク逆潮流は発生しない。図７（２）は、休日の昼間のように工場が休業日で大きな負荷がなく、太陽光発電量に対して負荷量が下回る場合を示している。この場合、電力は、矢印６０２のように流れ、バンク逆潮流が発生する。
【０００５】
＜バンク逆潮流の発生時の対応実態と問題点＞
バンク逆潮流が発生した場合、担当者は、系統を切替えて別の線路の負荷を加え、太陽光発電量を負荷が上回るように調整している。
このようなバンク逆潮流について、次のような課題がある。
（１）バンク逆潮流時期とバンク逆潮流とを自動予測することができないため、制御所の当直員が変圧器の潮流を目視で監視して、バンク逆潮流の有無を判断している。このため、制御所員は、運転業務の煩雑な中で、常に監視しなければならない。
バンク逆潮流発生時には配電線を系統変更する必要があるが、負荷バランスの検討や保護継電器の整定変更を伴うため、検討者や作業員の急な確保（例えば、休日等では）が難しい。また、系統は負荷配分や保護継電器の保護領域等を考慮して設定されているため、休日前から系統を変更することも難しい。
（２）バンク逆潮流時期を予測できないため、バンク逆潮流が発生する恐れがある電気所は、電気設備の技術基準第２２８条により予め保護継電器等の対策をする必要があり、高コストを伴っている。
（３）バンク逆潮流発生時には、太陽光発電からの供給が過剰で線路の電圧が相当上昇し、電圧上昇抑制状態であり、売電者に影響があると考えられるが、これの予測もできない。
【０００６】
これらの課題に対応する特許文献１及び特許文献２が知られている。
特許文献１の太陽光発電システムの発電量予測方法は、予測対象日の予測実施時刻前に地域において計測された日射量と天気予報とを日射量予測式に入力して日射量を予測し、予測された日射量と気温予報とを、太陽光発電システムモデルに入力することにより、発電量を予測する。
特許文献２の太陽光発電量把握システムは、メッシュエリア毎に日照量を含む日照データを生成し、該日照データと各太陽光発電設備の設備データとから各太陽光発電設設備毎の発電量を演算し、これを積み重ねて、配電区間毎、配電線単位の発電量を演算する。
【先行技術文献】
【特許文献】
【０００７】
【特許文献１】特許第３９８４６０４号公報
【特許文献２】特許第５２１４０００号公報
【発明の概要】
【発明が解決しようとする課題】
【０００８】
しかしながら、特許文献１の太陽光発電システムモデルは、太陽光発電システムの太陽電池の等価回路モデル、温度特性モデル、及びコンバータモデルから構成され、太陽電池の設置方位、設置角度、結線形態、設置場所の緯度・経度を予め設定しておき、予測日射量と予報気温の情報を基に発電量を計算するため、太陽光発電システムについての多くのデータを設定する必要がある。
また、特許文献２の太陽光発電設備の設備データは、各太陽発電設備の経度及び緯度である所在情報の他に、設備容量、太陽光パネルの向き・角度・自動追尾の有無、高層ビル等の遮蔽物の有無、発電効率、温度効率、発電開始日等を含んでいるため、太陽光発電設備についての多くのデータを設定する必要がある。
【０００９】
そこで、太陽光発電システム又は太陽光発電設備についての多くのデータを設定する必要がなく、容易にバンク逆潮流を精度よく予測できる装置が求められている。
【００１０】
本発明は、太陽光発電システム又は太陽光発電設備についての多くのデータを設定する必要がなく、容易にバンク逆潮流を精度よく予測できるバンク逆潮流予測装置及び方法を提供することを目的とする。
【課題を解決するための手段】
【００１１】
具体的には、以下のような解決手段を提供する。
（１）  電力のバンク逆潮流を予測するバンク逆潮流予測装置であって、配電線単位の電力記録及び配電線単位の気象情報（具体的には、天気、温度、日射の強さ）を予め記憶する電力記録記憶部と、配電線単位の気象予測情報を取得する気象予測取得部と、前記気象予測取得部により取得された前記配電線単位の気象予測情報に近似した前記配電線単位の気象情報が記憶された前記配電線単位の電力記録を、前記電力記録記憶部により記憶された前記配電線単位の気象情報に基づいて抽出する記録抽出部と、前記記録抽出部により抽出された前記配電線単位の電力記録に基づいて、バンク逆潮流が発生する配電線を予測する予測部と、を備えるバンク逆潮流予測装置。
【００１２】
すなわち、（１）に係るバンク逆潮流予測装置は、取得した配電線単位の気象予測情報に近似した気象情報が記憶された前記配電線単位の電力記録を、電力記録記憶部により記憶された配電線単位の電力記録及び気象情報に基づいて抽出し、抽出した前記配電線単位の電力記録に基づいて、バンク逆潮流が発生する配電線を予測する。
したがって、（１）に係るバンク逆潮流予測装置は、太陽光発電システム又は太陽光発電設備についての多くのデータを設定する必要がなく、容易にバンク逆潮流を精度よく予測できる。
【００１３】
（２）  前記配電線単位のバンク逆潮流の記録を取得し、取得した前記配電線単位のバンク逆潮流の記録に、取得した前記配電線単位の気象情報を対応付けて前記電力記録記憶部に記憶させる電力記録作成部を更に備える（１）に記載のバンク逆潮流予測装置。
【００１４】
したがって、（２）に係るバンク逆潮流予測装置は、配電線単位の気象情報に対応付けた前記配電線単位のバンク逆潮流の記録を記憶させて電力記録記憶部の記録を更新するので、バンク逆潮流を更に精度よく予測できる。
【００１５】
（３）  （１）に記載のバンク逆潮流予測装置が実行する方法であって、前記気象予測取得部が、配電線単位の気象予測情報を取得する気象予測取得ステップと、前記記録抽出部が、前記気象予測取得ステップにより取得された前記配電線単位の気象予測情報に近似した気象情報が記憶された前記配電線単位の電力記録を、前記電力記録記憶部により記憶された配電線単位の気象情報に基づいて抽出する記録抽出ステップと、前記予測部が、前記記録抽出ステップにより抽出された前記配電線単位の電力記録に基づいて、バンク逆潮流が発生する配電線を予測する予測ステップと、を備える方法。
【００１６】
したがって、（３）に係る方法は、太陽光発電システム又は太陽光発電設備についての多くのデータを設定する必要がなく、容易にバンク逆潮流を精度よく予測できる。
【００１７】
（４）  配電線単位の気象予測情報を取得する気象予測取得ステップと、取得された前記配電線単位の気象予測情報に近似した前記配電線単位の気象情報が記憶された電力記録を、配電線単位の電力記録及び配電線単位の気象情報を予め記憶した電力記録記憶部に記憶された配電線単位の気象情報に基づいて抽出する記録抽出ステップと、抽出された前記配電線単位の電力記録に基づいて、バンク逆潮流が発生する配電線を予測する予測ステップと、をコンピュータに実行させるプログラム。
【００１８】
したがって、コンピュータが（４）のプログラムを実行することにより、太陽光発電システム又は太陽光発電設備についての多くのデータを設定する必要がなく、容易にバンク逆潮流を精度よく予測できる。
【００１９】
（５）  （４）のプログラムを記録したコンピュ−タ読み取り可能な記録媒体。
【００２０】
したがって、コンピュータが（５）のコンピュ−タ読み取り可能な記録媒体に記録されたプログラムを実行することにより、太陽光発電システム又は太陽光発電設備についての多くのデータを設定する必要がなく、容易にバンク逆潮流を精度よく予測できる。
【発明の効果】
【００２１】
本発明によれば、太陽光発電システム又は太陽光発電設備についての多くのデータを設定する必要がなく、容易にバンク逆潮流を精度よく予測できる。
【図面の簡単な説明】
【００２２】
【図１】本発明の一実施形態に係るバンク逆潮流予測装置の構成を示すブロック図である。
【図２】本発明の一実施形態に係るバンク逆潮流予測装置の電力記録記憶部の電力記録の例を示す図である。
【図３】本発明の一実施形態に係るバンク逆潮流予測装置の電力記録記憶部の気象情報の例を示す図である。
【図４】本発明の一実施形態に係るバンク逆潮流予測装置の処理内容の例を、データの例と共に説明するための図である。
【図５】図４に続く図である。
【図６】図５に続く図である。
【図７】バンク逆潮流を説明するための図である。
【発明を実施するための形態】
【００２３】
以下、本発明の実施形態について図を参照しながら説明する。図１は、本発明の一実施形態に係るバンク逆潮流予測装置１０の構成を示すブロック図である。
バンク逆潮流予測装置１０はコンピュータにより構成され、コンピュータの図示しない記憶部により電力記録記憶部３１が構成され、コンピュータの図示しない制御部により、気象予測取得部１１と、気象データベース作成部１２と、記録抽出部１３と、予測部１４と、電力記録作成部１５とが構成される。
【００２４】
「この日にバンク逆潮流が発生するか否か」を知りたいという日を、「予測対象日」と呼ぶことにする。
【００２５】
配電線は、配電用変電所からユーザに至るまでの電力線であり、「ＡＡ変地区」や「ＢＡ変地区」という識別情報によって一つに特定される。
【００２６】
＜電力記録記憶部３１＞
電力記録記憶部３１について、図２及び図３を参照しながら説明する。ここで、図２は、本実施形態に係る配電線単位の電力記録を説明する図である。また、図３は、本実施形態に係る配電線単位の気象情報を説明する図である。
電力記録記憶部３１は、配電線単位の電力記録及び配電線単位の気象情報を予め記憶する。本実施形態では、配電線単位の電力記録を格納したデータベースを、「潮流データベース」という。また、配電線単位の気象情報を格納したデータベースを「気象データベース」という。
潮流データベースには、配電線単位の電力記録を記憶しており、図２に示すように、配電線単位の電力記録の項目として、配電線の識別情報、当該電力記録の記録された年、月、日、曜日及び時刻、順潮流と逆潮流の別、逆潮流の量、及びその時に採った処置（どれだけの負荷を太陽光発電所の負荷に切り替えたか、あるいはどの系統の線路を太陽光発電所に接続したか。）等の項目を記憶する。
【００２７】
気象データベースには、配電線単位の気象情報を記憶しており、図３に示すように、配電線単位の気象情報の項目としては、配電線の識別情報、当該気象情報の記録された年、月、日、曜日及び時刻、温度、天気、日射の強さ等の項目を記憶する。
ここで、天気は、例えば気象庁が定めた天気の種類（快晴、晴れ、薄曇、曇、霧、霧雨、雨、みぞれ、雪、あられ、ひょう等）によって表現する。
日射の強さは、例えば強、中、弱の３段階で表現する。
【００２８】
気象予測取得部１１は、配電線の識別情報毎に、予測対象日における、例えば正時毎の気象予測情報を取得する。
配電線単位の気象予測情報の項目としては、配電線の識別情報、予測対象日の年、月、日、時刻及び曜日、予測される天気、予測される温度、予測される日射の強さ等である。
予測される天気は、気象庁が定めた天気の種類（快晴、晴れ、薄曇、曇、霧、霧雨、雨、みぞれ、雪、あられ、ひょう等）によって表現する。
予測される日射の強さは、例えば強、中、弱の３段階で表現する。
【００２９】
気象予測取得部１１は、気象庁あるいは民間の気象予報会社の気象予報サービスを利用するか、又は独自に保有する気象予報システムを使って配電線単位の気象予測情報を取得する。
【００３０】
気象データベース作成部１２は、各地にある社内の営業所や変電所又はインターネットから、予測ではなく現在又は過去の天気、温度、日射の強さ等、配電線単位の気象情報を自動受信して収集し、その配電線単位の気象情報を配電線の識別情報と紐付けすることにより、気象データベースを作成する。
【００３１】
記録抽出部１３は、気象が予測された配電線の識別情報と同じ識別情報の配電線の電力記録であって、気象予測取得部１１により取得された当該配電線の気象予測情報に近似した、予測対象日の時刻と同じ時刻の当該配電線の気象情報が記憶された当該配電線の電力記録を、電力記録記憶部３１により記憶された当該配電線の気象情報に基づいて抽出する。
「気象予測情報に近似した」「気象情報」とは、気象予測情報にある範囲を持たせた中に入る気象情報という意味である、例えば、気象予測情報の予測される温度に対して、「予測される温度±２℃」と範囲を持たせる。時刻についても、例えば、気象情報の時刻が「正時±１０分」の範囲であれば、「正時」の気象情報であると見なしてもよい。なお、ここで示した「±２℃」や「±１０分」は、例示に過ぎず、他の数値であっても構わない。
【００３２】
なお、記録抽出部１３は、バンク逆潮流が発生する確率が高い配電線を正確に予測するために、更に抽出作業を行うようにしてもよい。
バンク逆潮流が発生する要因としては、例えば、工場が稼働していないことによる負荷の低下と、空が晴れて日射が強いことによる太陽光発電所の発電量の増加の二つが挙げられる。
空が晴れて日射が強いことによる太陽光発電所の発電量の増加の要因は、「気象予測情報に近似した」「気象情報」による抽出条件に、既に含まれている。
土曜日と日曜日は、工場が稼働していないと推測されるから、工場が稼働していないことによる負荷の低下を予測に含めるために、記録抽出部１３は、更に予測対象日と同じ曜日の配電線の電力記録を抽出するようにしてもよい。
したがって、予測対象日には、当該配電線の状況は、抽出された当該配電線の電力記録及び気象情報と同じ曜日及び近似した気象予測情報になっていると推測されるから、抽出された当該配電線の電力記録と同じ潮流が発生するであろうと予測することができる。
【００３３】
ユーザにとって興味があるのは、バンク逆潮流が発生したときの配電線の電力記録であるから、記録抽出部１３は、予測対象日と同じ曜日という条件で抽出された当該配電線の電力記録の中から、更に「逆潮流」ありの電力記録のみを抽出してもよい。バンク逆潮流の予測結果をユーザに見やすく提供するために、更に、記録抽出部１３は、配電線単位の異なった日の同一時刻の電力記録の中から、バンク逆潮流が最大に発生した電力記録を抽出するようにしてもよい。
【００３４】
記録抽出部１３が、配電線単位の異なった日の同一時刻の電力記録の中から抽出した、バンク逆潮流が最大に発生した電力記録は、本当は過去の記録であるが、予測部１４は、予測対象日の時刻における当該配電線の潮流の予測として取り扱う。
予測部１４は、記録抽出部１３が、配電線単位の異なった日の同一時刻の電力記録の中から抽出した、バンク逆潮流が最大に発生した電力記録に、当該配電線の気象情報を付加して、配電線単位に、時刻順に並び替えて、予測対象日におけるバンク逆潮流発生の予測として表示する。
【００３５】
電力記録作成部１５は、配電線単位のバンク逆潮流の記録を取得し、取得したバンク逆潮流の記録に、取得した当該配電線の気象情報を対応付けて電力記録記憶部３１に記憶させる。
ここで、前述したように、電力記録の項目としては、配電線の識別情報、記録される年、月、日、曜日及び時刻、順潮流とバンク逆潮流の別、潮流の量、及びその時に採った処置（どれだけの負荷を太陽光発電所の負荷に切り替えたか、あるいはどの系統の線路を太陽光発電所に接続したか。）等である。
また、前述したように、気象情報の項目としては、配電線の識別情報、記録される年、月、日、曜日及び時刻、温度、天気、日射の強さ等である。
【００３６】
次に、図４から図６のフローチャートを参照して、本発明の一実施形態に係るバンク逆潮流予測装置１０の処理内容の例を、データの例と共に説明する。
ステップＳ１０１では、ユーザが、コンピュータの図示しない入力部から、例えば、「２０１４年８月１６日、土曜日」のように、予測対象日を入力する。
ステップＳ１０２では、気象予測取得部１１は、気象庁あるいは民間の気象予報会社の気象予報サービスを利用するか、又は独自に保有する気象予報システムを使って、予測対象日の例えば正時毎の気象予測情報を配電線単位に取得する。
【００３７】
ステップＳ１０３では、気象データベース作成部１２は、各地にある社内の営業所や変電所又はインターネットから、予測ではなく現在又は過去の天気、温度、日射の強さである気象情報（Ｄ１０２）を配電線単位に自動受信する。
ステップＳ１０４では、気象データベース作成部１２は、ステップＳＴ１０３で受信した配電線単位の気象情報（Ｄ１０２）を配電線の識別情報（Ｄ１０２）で紐付けし、配電線単位の気象データベース（Ｄ１０３）を作成する。
【００３８】
ステップＳ１０５では、記録抽出部１３は、配電線単位に、予測対象日の各時刻毎に、当該配電線の気象予測情報と近似した過去の当該配電線の気象データを抽出する。なお、近似データ抽出範囲例として、例えば、予測対象日の配電線の気象データが、（晴れ、予想温度、日射強）とすると、（晴れ、予想温度±２℃、日射強）に該当する、当該配電線の気象データを抽出する。
ステップＳ１０６では、記録抽出部１３は、ステップＳ１０５で抽出した当該配電線の気象情報の配電線の識別情報と年、月、日、及び時刻に対応する電力記録を潮流データベースから抽出する。
【００３９】
ステップＳ１０７では、記録抽出部１３は、更に、ステップＳＴ１０６において抽出した電力記録から、予測対象日と同じ曜日の電力記録を抽出する。
ステップＳ１０８では、記録抽出部１３は、更に、ステップＳＴ１０７において抽出した電力記録から、「逆潮流」ありの電力記録を抽出する。
【００４０】
ステップＳ１０９では、記録抽出部１３は、更に、ステップＳＴ１０８において抽出した電力記録から、配電線単位に、異なった日の同一時刻で、バンク逆潮流が最大に発生した日の電力記録を抽出する。
ステップＳ１１０では、予測部１４は、ステップＳＴ１０９において記録抽出部１３が、配電線単位の異なった日の同一時刻の電力記録から抽出した、バンク逆潮流が最大に発生した日の電力記録に、当該配電線の気象情報を付加して、配電線単位に、時刻順に並べ替える。
【００４１】
ステップＳ１１１では、予測部１４は、Ｓ１１０で配電線単位に、時刻順に並べ替えた気象情報付きの電力記録を格納する。予測部１４は、表示端末装置等に出力する（Ｄ１０６）。
【００４２】
本実施形態によれば、バンク逆潮流予測装置１０は、配電線単位の電力記録及び配電線単位の気象情報を予め記憶する電力記録記憶部３１を備え、配電線単位の気象予測情報を取得し、取得した気象予測情報に近似した気象情報が記憶された電力記録を、電力記録記憶部３１により記憶された気象情報に基づいて抽出し、抽出した電力記録に基づいて、バンク逆潮流が発生する配電線を予測する。更に、バンク逆潮流予測装置１０は、配電線単位のバンク逆潮流の記録を取得し、取得したバンク逆潮流の記録に、取得した気象情報を対応付けて電力記録記憶部３１に記憶させる。
したがって、バンク逆潮流予測装置１０は、太陽光発電システム又は太陽光発電設備についての多くのデータを設定する必要がなく、容易にバンク逆潮流を精度よく予測できる。更に、バンク逆潮流予測装置１０は、気象情報に対応付けたバンク逆潮流の記録を記憶させて電力記録記憶部３１の記録を更新するので、バンク逆潮流を更に精度よく予測できる。
【００４３】
更に、バンク逆潮流予測装置１０は、バンク逆潮流を自動予測できるため、その結果、運転の監視負担を軽減させることができる。また、バンク逆潮流予測装置１０は、配電線へのバンク逆潮流を事前に予想できるため、警告等を行うことによって事前に配電線系統切替及び保護継電器の検討を行うようにすることができる。
【００４４】
以上、本発明の実施形態について説明したが、本発明は上述した実施形態に限るものではない。
また、本発明の実施形態に記載された効果は、本発明から生じる最も好適な効果を列挙したに過ぎず、本発明による効果は、本発明の実施形態に記載されたものに限定されるものではない。
【００４５】
＜変形例１＞
本発明の実施形態では、ステップＳ１０７において、記録抽出部１３は、予測対象日と同じ曜日の電力記録を抽出した。代わりに、全ての日を、（ａ）工場が稼働していると推測される日と（ｂ）工場が休業していると推測される日の２つのカテゴリーに分けて、ステップＳ１０７において、記録抽出部１３が、予測対象日と同じカテゴリーの日の電力記録を抽出するようにしてもよい。例えば、（ｂ）としては、「土曜日、日曜日、祝祭日、及び年末年始」とし、（ａ）は、（ｂ）以外の日とすることができる。
【００４６】
＜変形例２＞
本発明の実施形態では、天気については、快晴〜曇を、快晴、晴れ、薄曇、曇の４つに分けたが、雲量に応じてもっと多くの段階に分けるようにしてもよい。また、日射の強さについても、３段階ではなく、もっと多くの段階に分けてもよい。
【００４７】
＜変形例３＞
本発明の実施形態では、記録抽出部１３が、配電線の電力記録を抽出する時に、「気象予測取得部１１により取得された気象予測情報に近似した、予測対象日の時刻と同じ時刻の気象情報が記憶された電力記録」という条件で抽出した。ここで、「予測対象日の時刻と同じ時刻の」という条件を外して、「気象予測取得部１１により取得された気象予測情報に近似した気象情報が記憶された電力記録」という条件で抽出してもよい。予測対象日の時刻と異なる時刻の電力記録であっても、気象予測情報に近似した気象情報を有しているのであるから、予測対象日の時刻の予測として使用してもよい。
【００４８】
本発明の実施形態では、気象予測取得部１１，気象データベース作成部１２，記録抽出部１３，予測部１４及び電力記録作成部１５は、コンピュータの制御部がプログラムを実行することにより実現されるものとして説明した。このプログラムは、ＣＤ−ＲＯＭのような記録媒体からロードされてもよいし、ネットワークを介して、ユーザのコンピュータにダウンロードされてもよい。更に、プログラムがダウンロードされることなく、ネットワークを介したＷｅｂサービスとして、ユーザのコンピュータに提供されてもよい。
【００４９】
本発明の実施形態では、気象予測取得部１１，気象データベース作成部１２，記録抽出部１３，予測部１４及び電力記録作成部１５は、コンピュータの制御部がプログラムを実行することにより実現されるものとして説明したが、各部をそれぞれ専用のハードウェアとして構成してもよい。
【符号の説明】
【００５０】
１０    バンク逆潮流予測装置
１１    気象予測取得部
１２    気象データベース作成部
１３    記録抽出部
１４    予測部
１５    電力記録作成部
３１    電力記録記憶部
【図１】
2017108527.tif 000003
【図２】
2017108527.tif 000004
【図３】
2017108527.tif 000005
【図４】
2017108527.tif 000006
【図５】
2017108527.tif 000007
【図６】
2017108527.tif 000008
【図７】
2017108527.tif 000009